(57)【要約】【課題】画像読取りのための所要時間の短縮を可能とし、部品搭載動作のタクトタイムを改善することができる電子部品実装装置および電子部品実装装置における画像読取り方法を提供することを目的とする。【解決手段】基板搬送機構２を挟んだ両側に部品搭載機構が配置された構成の電子部品実装装置において、搭載ヘッド１４Ａ，１４Ｂに保持された電子部品の画像を下方から読み取る第１の画像読取り部６Ａ、第２の画像読取り部６Ｂの構成を、当該画像読取り部に対応する搭載ヘッドを基板搬送方向であるＸ方向、Ｘ方向に直交するＹ方向へそれぞれ移動させて画像の読み取りを行う第１方向走査動作、第２方向走査動作のいずれによっても画像の読み取りが可能な構成とする。これにより、部品搭載動作において第１方向走査動作、第２方向走査動作のいずれかタクトタイムロスのない方を選択することができる。【選択図】図２
2010080696.tif 000002
【特許請求の範囲】
【請求項１】
電子部品が実装される基板を第１方向に搬送する基板搬送機構と、この基板搬送機構による搬送経路に設けられ前記基板を位置決めする基板位置決め部と、
前記基板搬送機構を挟んで前記第１方向と直交する第２方向についての両側方にそれぞれ配置された第１の部品供給部および第２の部品供給部と、
前記第１の部品供給部、第２の部品供給部から前記電子部品をそれぞれ取り出す第１の搭載ヘッド、第２の搭載ヘッドを、前記第１方向および第２方向の２つの方向へそれぞれ移動させる第１のヘッド移動機構、第２のヘッド移動機構と、
前記第１のヘッド移動機構、第２のヘッド移動機構による前記第１の搭載ヘッド、第２の搭載ヘッドのそれぞれの移動経路に設けられ、前記第１の搭載ヘッド、第２の搭載ヘッドが画像読取り用の走査動作を行うことにより当該搭載ヘッドに保持された電子部品の画像を下方からそれぞれ読み取る第１の画像読取り部、第２の画像読取り部とを備え、
前記第１の画像読取り部、第２の画像読取り部のそれぞれは、当該画像読取り部の搭載ヘッドを前記第１の方向、第２方向へそれぞれ移動させて画像の読み取りを行う第１方向走査動作、第２方向走査動作のいずれによっても前記画像の読み取りが可能なカメラを有し、
前記第１の搭載ヘッド、第２の搭載ヘッドがそれぞれの部品供給部から取り出した電子部品を前記基板位置決め部に位置決めされた基板に移送搭載する部品搭載動作において、当該電子部品の画像を読み取るために前記第１の搭載ヘッド、第２の搭載ヘッドに、第１方向走査動作、第２方向走査動作のいずれを行わせるかを、予め設定された走査動作選択条件に基づいて選択する画像読取り制御部とを備えたことを特徴とする電子部品実装装置。
【請求項２】
前記カメラは、複数の撮像素子を直線状に配列して構成され素子配列方向を前記第１方向に固定して配置された第１のラインセンサと、複数の撮像素子を直線状に配列して構成され素子配列方向を前記第２方向に固定して配置された第２のラインセンサとを備えることを特徴とする請求項１記載の電子部品実装装置。
【請求項３】
電子部品が実装される基板を第１方向に搬送する基板搬送機構と、この基板搬送機構による搬送経路に設けられ前記基板を位置決めする基板位置決め部と、前記基板搬送機構を挟んで前記第１方向と直交する第２方向についての両側方にそれぞれ配置された第１の部品供給部および第２の部品供給部と、前記第１の部品供給部、第２の部品供給部から前記電子部品をそれぞれ取り出す第１の搭載ヘッド、第２の搭載ヘッドを前記第１方向および第２方向の２つの方向へそれぞれ移動させる第１のヘッド移動機構、第２のヘッド移動機構と、前記第１の部品供給部、第２の部品供給部から前記基板位置決め部に到る前記第１の搭載ヘッド、第２の搭載ヘッドのそれぞれの移動経路に設けられ、前記第１の搭載ヘッド、第２の搭載ヘッドに保持された電子部品の画像を下方からそれぞれ読み取る第１の画像読取り部、第２の画像読取り部とを備え、
前記第１の画像読取り部、第２の画像読取り部のそれぞれは、当該画像読取り部の搭載ヘッドを前記第１の方向、第２方向へそれぞれ移動させて画像の読み取りを行う第１方向走査動作、第２方向走査動作のいずれによっても前記画像の読み取りが可能なカメラを有する構成の電子部品実装装置において、前記第１の搭載ヘッド、第２の搭載ヘッドに保持された電子部品の画像を読み取る電子部品実装装置における画像読取り方法であって、
前記第１の搭載ヘッド、第２の搭載ヘッドがそれぞれの部品供給部から電子部品を取り出す部品取り出し工程と、
当該電子部品の画像を読み取るために前記第１の搭載ヘッド、第２の搭載ヘッドに、第１方向走査動作、第２方向走査動作のいずれを行わせるかを、予め設定された走査動作選択条件に基づいて選択する走査動作選択工程と、
前記選択された走査動作を前記第１の搭載ヘッド、第２の搭載ヘッドに行わせる走査工
程と、
前記第１の画像読取り部、第２の画像読取り部から画像信号を取得する画像取得工程とを含むことを特徴とする電子部品実装装置における画像読取り方法。
【請求項４】
前記走査動作選択工程において、前記部品取り出し工程が完了した時点で前記基板位置決め部に位置決めされた基板において対向する搭載ヘッドによる部品搭載動作が行われていない場合には前記第２方向走査動作を選択し、前記時点で前記部品搭載動作が行われている場合には前記第１方向走査動作を選択するように、前記走査動作選択条件が設定されていることを特徴とする請求項３記載の電子部品実装装置における画像読取り方法。
【発明の詳細な説明】
【技術分野】
【０００１】
本発明は、電子部品を基板に実装する電子部品実装装置および電子部品実装装置において電子部品の画像を読み取る画像読取り方法に関するものである。
【背景技術】
【０００２】
半導体チップなどの電子部品を基板に実装する際の所要位置精度の高度化に伴い、実装時の電子部品と基板の位置ずれを画像認識によって補正する方法が広く用いられる。この方法は、電子部品の搭載に先立って搭載ヘッドに保持された状態の電子部品を撮像して認識処理することにより得られた位置検出結果に基づいて搭載時の位置補正を行うものである。この部品撮像において、従来よりＣＣＤなどの撮像素子を列状に配置したラインセンサが広く用いられている（例えば特許文献１参照）。この方法は、電子部品をラインセンサに対して相対的に移動させながら画像を取り込むことによって得られた一次元画像を並列させて二次元画像を合成することにより、電子部品の画像を読み取るものである。
【特許文献１】特開２００６−２８７１１６号公報
【発明の開示】
【発明が解決しようとする課題】
【０００３】
ところでラインセンサによる画像読取りに際しては、読み取り対象の電子部品とラインセンサとを素子配列方向と直交する方向に相対移動させる走査動作を行う必要があることから、電子部品実装装置内のレイアウトにおけるラインセンサの配置に際しては、走査動作を行う際の搭載ヘッドの移動方向を予め設定しておく必要があった。一般に基板搬送路の両側に部品供給部が配置された構成の電子部品実装装置においては、ラインセンサは素子配列方向を基板搬送方向（第１方向）に合わせるか、あるいは第１方向と直交する第２方向に合わせて配置される。しかしながら、ラインセンサの配置としてを上述のいずれを採用した場合においても、搭載ヘッドによる部品搭載動作の効率を最適化する観点からは一長一短がある。
【０００４】
すなわち、素子配列方向を第１方向に合わせてラインセンサを配置した場合には、画像読取りのための走査動作は搭載ヘッドを第２方向に移動させることにより行われる。この場合には、搭載ヘッドは部品供給部から基板に向かって最短経路で移動することができることから、移動距離が短くなるというメリットはあるものの、部品搭載機構として基板を挟んで相対向する２つの搭載ヘッドを備えている場合には、対向する搭載ヘッドの動作状況によっては搭載ヘッド相互間の干渉が生じるため、画像読取りのための走査動作を常に任意のタイミングで実行できるとは限らない。このような場合には、対向する搭載ヘッドが部品搭載動作を完了して基板上から退避するまでの待機時間だけロス時間が生じる。
【０００５】
これに対し、素子配列方向を第２方向に合わせてラインセンサを配置した場合には、画像読取りのための走査動作は搭載ヘッドを第１方向に移動させることにより行われる。この場合には、搭載ヘッドは基板搬送路に沿って移動することにより走査動作を行うことから、対向する搭載ヘッドの動作状況に関係なく走査動作が可能となるという利点があるものの、走査動作における搭載ヘッドの移動距離は必然的に長くなり、画像読取りのための所要時間が増大する結果となる。このように、従来の電子部品実装装置における画像読取りに際しては、ラインセンサの配列方向に起因する搭載ヘッドの動作の制約から、画像読取りのための所要時間を短縮することが困難で、部品搭載動作のタクトタイムの改善には限界があった。
【０００６】
そこで本発明は、画像読取りのための所要時間の短縮を可能とし、部品搭載動作のタク
トタイムを改善することができる電子部品実装装置および電子部品実装装置における画像読取り方法を提供することを目的とする。
【課題を解決するための手段】
【０００７】
本発明の電子部品実装装置は、電子部品が実装される基板を第１方向に搬送する基板搬送機構と、この基板搬送機構による搬送経路に設けられ前記基板を位置決めする基板位置決め部と、前記基板搬送機構を挟んで前記第１方向と直交する第２方向についての両側方にそれぞれ配置された第１の部品供給部および第２の部品供給部と、前記第１の部品供給部、第２の部品供給部から前記電子部品をそれぞれ取り出す第１の搭載ヘッド、第２の搭載ヘッドを、前記第１方向および第２方向の２つの方向へそれぞれ移動させる第１のヘッド移動機構、第２のヘッド移動機構と、前記第１のヘッド移動機構、第２のヘッド移動機構による前記第１の搭載ヘッド、第２の搭載ヘッドのそれぞれの移動経路に設けられ、前記第１の搭載ヘッド、第２の搭載ヘッドが画像読取り用の走査動作を行うことにより当該搭載ヘッドに保持された電子部品の画像を下方からそれぞれ読み取る第１の画像読取り部、第２の画像読取り部とを備え、前記第１の画像読取り部、第２の画像読取り部のそれぞれは、当該画像読取り部の搭載ヘッドを前記第１の方向、第２方向へそれぞれ移動させて画像の読み取りを行う第１方向走査動作、第２方向走査動作のいずれによっても前記画像の読み取りが可能なカメラを有し、前記第１の搭載ヘッド、第２の搭載ヘッドがそれぞれの部品供給部から取り出した電子部品を前記基板位置決め部に位置決めされた基板に移送搭載する部品搭載動作において、当該電子部品の画像を読み取るために前記第１の搭載ヘッド、第２の搭載ヘッドに、第１方向走査動作、第２方向走査動作のいずれを行わせるかを、予め設定された走査動作選択条件に基づいて選択する画像読取り制御部とを備えた。
【０００８】
本発明の電子部品実装装置における画像読取り方法は、電子部品が実装される基板を第１方向に搬送する基板搬送機構と、この基板搬送機構による搬送経路に設けられ前記基板を位置決めする基板位置決め部と、前記基板搬送機構を挟んで前記第１方向と直交する第２方向についての両側方にそれぞれ配置された第１の部品供給部および第２の部品供給部と、前記第１の部品供給部、第２の部品供給部から前記電子部品をそれぞれ取り出す第１の搭載ヘッド、第２の搭載ヘッドを前記第１方向および第２方向の２つの方向へそれぞれ移動させる第１のヘッド移動機構、第２のヘッド移動機構と、前記第１の部品供給部、第２の部品供給部から前記基板位置決め部に到る前記第１の搭載ヘッド、第２の搭載ヘッドのそれぞれの移動経路に設けられ、前記第１の搭載ヘッド、第２の搭載ヘッドに保持された電子部品の画像を下方からそれぞれ読み取る第１の画像読取り部、第２の画像読取り部とを備え、前記第１の画像読取り部、第２の画像読取り部のそれぞれは、当該画像読取り部の搭載ヘッドを前記第１の方向、第２方向へそれぞれ移動させて画像の読み取りを行う第１方向走査動作、第２方向走査動作のいずれによっても前記画像の読み取りが可能なカメラを有する構成の電子部品実装装置において、前記第１の搭載ヘッド、第２の搭載ヘッドに保持された電子部品の画像を読み取る電子部品実装装置における画像読取り方法であって、前記第１の搭載ヘッド、第２の搭載ヘッドがそれぞれの部品供給部から電子部品を取り出す部品取り出し工程と、当該電子部品の画像を読み取るために前記第１の搭載ヘッド、第２の搭載ヘッドに、第１方向走査動作、第２方向走査動作のいずれを行わせるかを、予め設定された走査動作選択条件に基づいて選択する走査動作選択工程と、前記選択された走査動作を前記第１の搭載ヘッド、第２の搭載ヘッドに行わせる走査工程と、前記第１の画像読取り部、第２の画像読取り部から画像信号を取得する画像取得工程とを含む。
【発明の効果】
【０００９】
本発明によれば、基板搬送機構を挟んだ両側に部品搭載機構が配置された構成の電子部品実装装置において、搭載ヘッドに保持された電子部品の画像を下方からそれぞれ読み取る第１の画像読取り部、第２の画像読取り部の構成を、当該画像読取り部に対応する搭載ヘッドを基板搬送方向である第１の方向、第１の方向と直交する第２方向へそれぞれ移動
させて画像の読み取りを行う第１方向走査動作、第２方向走査動作のいずれによっても画像の読み取りが可能なカメラを有する構成とすることにより、搭載ヘッドがそれぞれの部品供給部から取り出した電子部品を基板に移送搭載する部品搭載動作において、当該電子部品の画像を読み取るために第１方向走査動作、第２方向走査動作のいずれかタクトタイムロスのない方を選択することができ、画像読取りのための所要時間の短縮を可能とし、部品搭載動作のタクトタイムを改善することができる。
【発明を実施するための最良の形態】
【００１０】
次に本発明の実施の形態を図面を参照して説明する。図１は本発明の一実施の形態の電子部品実装装置の斜視図、図２は本発明の一実施の形態の電子部品実装装置の平面図、図３は本発明の一実施の形態の電子部品実装装置に用いられる画像読取り装置の構成を示す分解斜視図、図４は本発明の一実施の形態の電子部品実装装置に用いられる画像読取り装置の断面図、図５は本発明の一実施の形態の電子部品実装装置に用いられる画像読取り装置の画像取り込み範囲の説明図、図６は本発明の一実施の形態の電子部品実装装置に用いられる画像読取り装置の平面図、図７は本発明の一実施の形態の電子部品実装装置の制御系の構成を示すブロック図、図８は本発明の一実施の形態の電子部品実装装置における画像読取り方法を示すフロー図、図９，図１０は本発明の一実施の形態の電子部品実装装置における画像読取り方法の動作説明図である。
【００１１】
まず図１、図２を参照して、電子部品実装装置１の構造を説明する。電子部品実装装置１は実装基板を製造する電子部品実装ラインにおいて用いられ、同一構造の電子部品実装装置１を複数台を連結することにより、電子部品実装ラインが構成される。図１において、基台１ａの中央には基板搬送機構２がＸ方向に配設されている。基板搬送機構２は電子部品が実装される基板３をＸ方向（第１方向）に搬送する。基板搬送機構２による搬送経路には基板を実装位置に位置決めして保持する基板位置決め部が設けられており、この基板位置決め部によって位置決めされた基板３に対して、電子部品が実装される。
【００１２】
基板搬送機構２を挟んでＹ方向（第２方向）についての両側方には、第１の部品供給部４Ａ、第２の部品供給部４Ｂが配置されており、第１の部品供給部４Ａ、第２の部品供給部４Ｂにはそれぞれ複数のテープフィーダ５が並設されている。テープフィーダ５は電子部品を収納したキャリアテープをピッチ送りして、以下に説明する部品搭載機構、すなわち搭載ヘッドおよびこの搭載ヘッドを移動させるヘッド移動機構よりなる部品搭載機構に電子部品を供給する。
【００１３】
基台１ａのＸ方向の一端部には、Ｙ軸リニア駆動機構を備えたＹ軸移動テーブル８がＹ方向に水平に配設されている。Ｙ軸移動テーブル８は水平方向に細長形状で設けられたビーム部材８ａを主体としており、ビーム部材８ａにはリニアレール８ｂが水平方向に配設されている。リニアレール８ｂには、垂直姿勢で配設された矩形状の２つの結合ブラケット１０Ａ，１０Ｂに結合されたリニアブロック９が、Ｙ方向にスライド自在に嵌着している。２つの結合ブラケット１０Ａ，１０Ｂには、それぞれＸ軸リニア駆動機構を備えた第１のＸ軸移動テーブル１１Ａ、第２のＸ軸移動テーブル１１Ｂが結合されている。
【００１４】
第１のＸ軸移動テーブル１１Ａ、第２のＸ軸移動テーブル１１ＢはいずれもＸ方向に細長形状で設けられたビーム部材１１ａを主体としており、ビーム部材１１ａにはリニアレール１２が水平方向に配設されている。リニアレール１２には、垂直姿勢で配設された矩形状の結合ブラケット１３が、リニアブロック（図示省略）を介してＸ方向にスライド自在に装着されている。第１のＸ軸移動テーブル１１Ａ、第２のＸ軸移動テーブル１１Ｂのそれぞれの結合ブラケット１３には、第１の搭載ヘッド１４Ａ、第２の搭載ヘッド１４Ｂが装着されており、第１の搭載ヘッド１４Ａ、第２の搭載ヘッド１４Ｂは、結合ブラケット１３に結合されたリニア駆動機構によってそれぞれＸ方向に移動する。
【００１５】
第１の搭載ヘッド１４Ａ、第２の搭載ヘッド１４Ｂはいずれも複数の単位搭載ヘッド１５を備えた多連型ヘッドであり、それぞれの単位搭載ヘッド１５の下端部に設けられたノズル装着部には電子部品を吸着して保持する吸着ノズル１５ａが装着されている。吸着ノズル１５ａは、単位搭載ヘッド１５に内蔵されたノズル昇降機構によって昇降する。Ｙ軸移動テーブル８、第１のＸ軸移動テーブル１１Ａを駆動することにより、第１の搭載ヘッド１４ＡはＸ方向、Ｙ方向に移動し、これにより各単位搭載ヘッド１５は、第１の部品供給部４Ａのテープフィーダ５から電子部品を取り出して、基板搬送機構２に位置決めされた基板３に移送搭載する。
【００１６】
同様に、Ｙ軸移動テーブル８、第２のＸ軸移動テーブル１１Ｂを駆動することにより、第２の搭載ヘッド１４ＢはＸ方向、Ｙ方向に移動し、これにより各単位搭載ヘッド１５は、第２の部品供給部４Ｂのテープフィーダ５から電子部品を取り出して、基板搬送機構２に位置決めされた基板３に移送搭載する。上記構成において、Ｙ軸移動テーブル８および第１のＸ軸移動テーブル１１Ａ、Ｙ軸移動テーブル８および第２のＸ軸移動テーブル１１Ｂは、第１の部品供給部４Ａ、第２の部品供給部４Ｂから電子部品をそれぞれ取り出す第１の搭載ヘッド１４Ａ、第２の搭載ヘッド１４Ｂを、Ｘ方向（第１方向）およびＹ方向（第２方向）の２つの方向へそれぞれ移動させる第１のヘッド移動機構１７Ａ、第２のヘッド移動機構１７Ｂを構成する。
【００１７】
基板搬送機構２と第１の部品供給部４Ａ、第２の部品供給部４Ｂとの間、すなわち第１のヘッド移動機構１７Ａ、第２のヘッド移動機構１７Ｂによる第１の搭載ヘッド１４Ａ、第２の搭載ヘッド１４Ｂの移動経路には、それぞれ第１の画像読取り装置６Ａ（第１の画像読取り部）、第２の画像読取り装置６Ｂ（第２の画像読取り部）が配設されている。第１の画像読取り装置６Ａ、第２の画像読取り装置６Ｂは同一構成であり、それぞれの部品供給部から電子部品を取り出した第１の搭載ヘッド１４Ａ、第２の搭載ヘッド１４Ｂが、画像読取り用の走査動作を行うことにより、当該搭載ヘッドに保持された電子部品の画像を下方からそれぞれ読み取る機能を有している。読み取られた画像を認識処理することにより、搭載ヘッドに保持された状態における電子部品の位置ずれが検出される。
【００１８】
図２に示すように、第１の搭載ヘッド１４Ａ、第２の搭載ヘッド１４Ｂには、一体に移動する基板認識カメラユニット１６が第１のＸ軸移動テーブル１１Ａ、第２のＸ軸移動テーブル１１Ｂの下方に位置して取り付けられている。基板認識カメラユニット１６は撮像光軸を下向きにした姿勢で結合ブラケット１３に取り付けられており、搭載ヘッド１７とともに基板３の上方に移動して基板３を撮像する。この撮像結果を認識処理することにより、基板３における実装点の位置ずれが検出される。電子部品を基板３に実装する際には、前述の電子部品の位置ずれの検出結果と、実装点の位置ずれの検出結果とに基づいて、部品搭載時の位置補正が行われる。
【００１９】
次に図３，図４，図５を参照して、第１の画像読取り装置６Ａ、第２の画像読取り装置６Ｂの構成および機能を説明する。図３、図４に示すように、第１の画像読取り装置６Ａ、第２の画像読取り装置６Ｂは、ラインセンサユニット２０の上方にレンズ光学系２１を組み合わせ、さらにその上方に照明ユニット２２を装着した構成となっている。ラインセンサユニット２０は、画像読取り対象（ここでは第１の搭載ヘッド１４Ａ、第２の搭載ヘッド１４Ｂに保持された電子部品）から反射される撮像光をラインセンサによって１次元画像として読み取って画像信号を出力する機能を有するものである。
【００２０】
すなわち、ラインセンサユニット２０はラインセンサ（Ｘ列ラインセンサ２４Ｘ、Ｙ列ラインセンサ２４Ｙ）が実装された２つのセンサ基板２３Ａ、２３Ｂを組み合わせた構成となっている。Ｘ列ラインセンサ２４Ｘ、Ｙ列ラインセンサ２４Ｙはいずれも複数のＣＣ
Ｄなどの撮像素子を直線状に配列して構成され、各撮像素子が撮像光を受光することにより１次元画像の画像信号を出力する。
【００２１】
下方に水平に配設されたセンサ基板２３Ａの上面には、Ｘ列ラインセンサ２４Ｘが素子配列方向をＸ方向に固定して配置されており、センサ基板２３Ａに対して直交して配設されたセンサ基板２３Ｂの内側面には、Ｙ列ラインセンサ２４Ｙが素子配列方向をＹ方向に固定して配置されている。すなわちラインセンサユニット２０は、複数の撮像素子を直線状に配列して構成され素子配列方向をＸ方向（第１方向）に固定して配置されたＸ列ラインセンサ２４Ｘ（第１のラインセンサ）と、複数の撮像素子を直線状に配列して構成され素子配列方向をＹ方向（第２方向）に固定して配置されたＹ列ラインセンサ２４Ｙ（第２のラインセンサ）とを備える構成となっている。
【００２２】
ここでＸ列ラインセンサ２４Ｘ、Ｙ列ラインセンサ２４Ｙの配列位置関係は、Ｘ列ラインセンサ２４Ｘにおける撮像素子の受光面の法線と、Ｙ列ラインセンサ２４Ｙにおける撮像素子の受光面の法線とが相互に交差するような位置関係となっている。このような配列位置関係において、センサ基板２３Ａ、２３Ｂの中間においてハーフミラー２５を斜め方向（４５度方向）に配置することにより、上方からの撮像光を、ハーフミラー２５を透過させてＸ列ラインセンサ２４Ｘに入射させるとともに、ハーフミラー２５によって水平方向に反射してＹ列ラインセンサ２４Ｙに入射させることが可能となっている。
【００２３】
レンズ光学系２１は撮像光をＸ列ラインセンサ２４Ｘ、Ｙ列ラインセンサ２４Ｙの受光面に結像させるためのレンズを備えており、上方から入射した撮像光はレンズ光学系２１によって屈折してＸ列ラインセンサ２４Ｘ、Ｙ列ラインセンサ２４Ｙの受光面に撮像対象物の像を結像させる。照明ユニット２２はＬＥＤなどの発光素子を集合させた照明基板２２ａを４方向に備えており、照明基板２２ａを作動させることにより、図４に示すように、照明光が斜め上方に照射される（矢印ａ）。そして照射された照明光は、第１の搭載ヘッド１４Ａ、第２の搭載ヘッド１４Ｂにおいて、各単位搭載ヘッド１５に設けられた吸着ノズル１５ａに保持された電子部品Ｐによって下方に反射され、第１の画像読取り装置６Ａ、第２の画像読取り装置６Ｂに上方から入射する（矢印ｂ）。
【００２４】
次いでこの撮像光はレンズ光学系２１によって屈折して下方に進む。これらの屈折光のうち、ハーフミラー２５を透過した撮像光はＸ列ラインセンサ２４Ｘの受光面を構成する撮像素子に結像する（矢印ｃ）。またハーフミラー２５によって側方に反射された撮像光は、Ｙ列ラインセンサ２４Ｙの受光面を構成する撮像素子に結像する（矢印ｄ）。すなわち、レンズ光学系２１およびハーフミラー２５は、Ｘ列ラインセンサ２４Ｘの撮像素子および、Ｙ列ラインセンサ２４Ｙの撮像素子のいずれにも電子部品の画像を結像させる光学系を構成する。
【００２５】
Ｘ列ラインセンサ２４Ｘ、Ｙ列ラインセンサ２４Ｙは、カメラコントローラである撮像制御部２６Ａ（撮像制御部２６Ｂ）に接続されている。撮像制御部２６Ａ（撮像制御部２６Ｂ）は、Ｘ列ラインセンサ２４Ｘ、Ｙ列ラインセンサ２４Ｙによる撮像処理を制御して撮像結果を画像信号として出力する機能を有している。すなわちＸ列ラインセンサ２４Ｘ、Ｙ列ラインセンサ２４Ｙから、それぞれ以下に示す画像取り込み範囲に対応した複数の１次元画像を所定のインターバルで順次出力させるとともに、出力された複数の１次元画像を並列させることによって撮像対象物の２次元画像を作成し、この２次元画像の画像信号を出力する。
【００２６】
このときＸ列ラインセンサ２４Ｘ、Ｙ列ラインセンサ２４Ｙからは常時１次元画像の画像信号が出力されており、撮像制御部２６Ａ（撮像制御部２６Ｂ）は、Ｘ列ラインセンサ２４Ｘ、Ｙ列ラインセンサ２４Ｙから並行して出力される２つの画像信号のうち、外部か
らの指令によって指定される１つのラインセンサからの画像信号を選択して、２次元画像の画像信号を作成して出力する処理を行う。すなわち、上記構成のラインセンサユニット２０においては、撮像対象物の画像をＸ列ラインセンサ２４Ｘ、Ｙ列ラインセンサ２４Ｙのいずれによっても読み取ることが可能となっている。
【００２７】
図５は、第１の画像読取り装置６Ａ、第２の画像読取り装置６Ｂによって画像を読み取ることが可能な画像取り込み範囲を平面視して示している。すなわち、上記構成のラインセンサユニット２０を用いることにより、Ｘ列ラインセンサ２４ＸによってＸ方向の素子配列長さに応じた寸法Ｘ１の読取り範囲を有する画像取り込み範囲ＡＸと、Ｙ列ラインセンサ２４ＹによってＹ方向の素子配列長さに応じた寸法Ｙ１の読取り範囲を有する画像取り込み範囲ＡＹとをクロス形状で組み合わせた画像取り込み範囲を実現することが可能となっている。
【００２８】
ここで、画像取り込み範囲ＡＸ、画像取り込み範囲ＡＹの大きさを規定する寸法Ｘ１，Ｙ２は、第１の搭載ヘッド１４Ａ、第２の搭載ヘッド１４Ｂにおいて、全ての単位搭載ヘッド１５の吸着ノズル１５ａに電子部品が保持されている状態で、これらの画像を一括して読み取るために必要とされる寸法に基づいて決定される。なお、ラインセンサユニット２０において、Ｙ列ラインセンサ２４Ｙの上下方向の位置を調整することにより、画像取り込み範囲ＡＸ、画像取り込み範囲ＡＹのそれぞれの中心点が交差するクロス形状ではなく、画像取り込み範囲ＡＸの中心と画像取り込み範囲ＡＹの１端部とが近接してＴ字状を呈するＴ字形状の画像取り込み範囲を形成することも可能である。
【００２９】
すなわち第１の画像読取り装置６Ａ、第２の画像読取り装置６Ｂは、いずれもＸ列ラインセンサ２４Ｘによる画像取り込み範囲とＹ列ラインセンサ２４Ｙによる画像取り込み範囲とを組み合わせることにより、平面視してクロス形状またはＴ字形状の画像取り込み範囲を有する構成となっている。これにより、本実施の形態に示す第１の画像読取り装置６Ａ、第２の画像読取り装置６Ｂは、当該画像読取り部に対応する搭載ヘッドを、Ｘ方向、Ｙ方向へそれぞれ移動させて画像の読み取りを行う第１方向走査動作、第２方向走査動作のいずれによっても画像の読み取りが可能なカメラを有する構成となっている。
【００３０】
なお、搭載ヘッドを、Ｘ方向、Ｙ方向へそれぞれ移動させて画像の読み取りを行う第１方向走査動作、第２方向走査動作のいずれによっても画像の読み取りが可能な構成とするためには、図３に示すような構成の第１の画像読取り装置６Ａ、第２の画像読取り装置６Ｂには限定されず、例えば図６に示すような構成の画像読取り装置を用いてもよい。まず、図６（ａ）に示す画像読取り装置２７は、複数の撮像素子を直線状に配列したラインセンサ２７Ｘ、２７Ｙをクロス形状に組み合わせた例を示している。
【００３１】
また図６（ｂ）に示す画像読取り装置２８は、複数の撮像素子を直線状に配列したラインセンサ２８Ｘ、２８ＹをＴ字形状に組み合わせた例を示している。さらに図６（ｃ）は、複数の撮像素子を直線状にＸ方向に配列したラインセンサ２９Ｘを備えた画像読取り装置２９Ａと、複数の撮像素子を直線状にＹ方向に配列したラインセンサ２９Ｙを備えた画像読取り装置２９Ｂとを隣接して配置する例を示している。これらの各例においても、第１方向走査動作、第２方向走査動作のいずれによっても画像の読み取りが可能となっている。なお、上述各例のように２つのラインセンサを組み合わせる代わりに、２次元平面状の画像取り込み範囲を有するエリアカメラを用いても、同様に第１方向走査動作、第２方向走査動作のいずれによっても画像を読み取ることができる。
【００３２】
次に図７を参照して、電子部品実装装置１の制御系の構成を説明する。図７において、装置本体制御部３０は、位置検出部３１、画像読取り制御部３２、認識処理部３３、位置補正演算部３４および機構制御部３５を備えている。位置検出部３１は、第１のヘッド移
動機構７Ａを構成するＸ軸リニア駆動機構１１ＡＬ、Ｙ軸リニア駆動機構８ＡＬにそれぞれ備えられたＸ軸エンコーダ１１ＡＥ、Ｙ軸エンコーダ８ＡＥからの信号を受信することにより、第１の搭載ヘッド１４Ａの位置を検出するとともに、第２のヘッド移動機構７Ｂを構成するＸ軸リニア駆動機構１１ＢＬ、Ｙ軸リニア駆動機構８ＢＬにそれぞれ備えられたＸ軸エンコーダ１１ＢＥ、Ｙ軸エンコーダ８ＢＥからの信号を受信することにより、第２の搭載ヘッド１４Ｂの位置を検出する。
【００３３】
画像読取り制御部３２は、位置検出部３１の位置検出結果に基づいて、第１の画像読取り装置６Ａ、第２の画像読取り装置６Ｂの撮像制御部２６Ａ、撮像制御部２６Ｂを制御する。すなわち、第１の搭載ヘッド１４Ａ、第２の搭載ヘッド１４Ｂを走査方向に移動させて、第１の搭載ヘッド１４Ａ、第２の搭載ヘッド１４Ｂに保持された電子部品の画像を読み取る走査動作において、Ｘ列ラインセンサ２４ＸまたはＹ列ラインセンサ２４Ｙが画像信号の出力を開始するタイミングを、位置検出部３１による第１の搭載ヘッド１４Ａ、第２の搭載ヘッド１４Ｂの位置検出結果に基づいて、撮像制御部２６Ａ、撮像制御部２６Ｂに対して指令する。
【００３４】
さらに後述するように、画像読取り制御部３２は、電子部品の画像を読み取るための走査動作を、Ｘ列ラインセンサ２４ＸまたはＹ列ラインセンサ２４Ｙのいずれを対象として行うか、すなわち第２方向走査動作、第１方向走査動作のいずれを選択して行うかの選択を、第１の搭載ヘッド１４Ａ、第２の搭載ヘッド１４Ｂの動作状態に応じて選択し、撮像制御部２６Ａ、撮像制御部２６Ｂに対して指令する機能を有している。この動作状態は位置検出部３１によって検出される、第１の搭載ヘッド１４Ａ、第２の搭載ヘッド１４Ｂの位置に基づいて判断される。そしてこの選択は、予め設定されて装置本体制御部３０の記憶装置に記憶された走査動作選択条件に基づいて行われる。
【００３５】
すなわち画像読取り制御部３２は、第１の搭載ヘッド１４Ａ、第２の搭載ヘッド１４Ｂがそれぞれの部品供給部から取り出した電子部品を、基板搬送機構２の基板位置決め部に位置決めされた基板３に移送搭載する部品搭載動作において、当該電子部品の画像を読み取るために、第１の搭載ヘッド１４Ａ、第２の搭載ヘッド１４Ｂに、第１方向走査動作、第２方向走査動作のいずれを行わせるかを、予め設定された走査動作選択条件に基づいて選択する。
【００３６】
認識処理部３３は、第１の画像読取り装置６Ａ、第２の画像読取り装置６Ｂの撮像制御部２６Ａ、撮像制御部２６Ｂから出力された画像信号を受信して認識処理することにより、当該搭載ヘッドに保持された状態における電子部品の識別や位置ずれの検出を行う。位置補正演算部３４は、認識処理部３３によって得られた電子部品の位置ずれ情報に基づいて、当該搭載ヘッドによって電子部品を基板に搭載する際の位置補正に必要な演算を行う。なお図７に示す例では、画像読取り制御部３２および認識処理部３３を装置本体制御部３０煮含めた構成例を示しているが、画像読取り制御部３２および認識処理部３３を、装置本体制御部３０から独立した別個の画像認識処理部として設けるようにしてもよい。
【００３７】
機構制御部３５は、第１のヘッド移動機構７Ａ、第１の搭載ヘッド１４Ａおよび第２のヘッド移動機構７Ｂ、第２の搭載ヘッド１４Ｂを制御することにより、それぞれの部品供給部から取り出した電子部品を基板３に移送搭載する部品搭載動作を実行させる。このとき、画像読取り制御部３２よって選択された第１方向走査動作、第２方向走査動作のいずれかをそれぞれの搭載ヘッドに行わせる。そして保持した電子部品を基板３に搭載する際には、位置補正演算部３４によって求められた位置ずれ補正演算結果に基づいて、第１の搭載ヘッド１４Ａ、第２の搭載ヘッド１４Ｂの位置合わせを行う。
【００３８】
本実施の形態の電子部品実装装置１は上記のように構成されており、以下電子部品実装
装置１において第１の搭載ヘッド１４Ａ、第２の搭載ヘッド１４Ｂに保持された電子部品の画像を読み取る電子部品実装装置における画像読取り方法について、図８のフローに沿って各図を参照しながら説明する。
【００３９】
まず部品搭載動作の開始に際しては、第１の搭載ヘッド１４Ａ、第２の搭載ヘッド１４Ｂが、それぞれの部品供給部から電子部品を取り出す（ＳＴ１）（部品取り出し工程）。図９（ａ）は、第１の部品供給部４Ａにおいて第１の搭載ヘッド１４Ａが複数の単位搭載ヘッド１５によって電子部品を取り出すために移動しており（矢印ｅ）、第２の部品供給部４Ｂにおいては、第２の搭載ヘッド１４Ｂが複数の単位搭載ヘッド１５の全てに電子部品を保持して、部品取り出し工程が完了した状態を示している。
【００４０】
次いで走査動作選択を行う（ＳＴ２）。すなわち先に部品取り出し工程が完了した第２の搭載ヘッド１４Ｂに、第１方向走査動作、第２方向走査動作のいずれを行わせるかを、予め設定された走査動作選択条件に基づいて選択する（走査動作選択工程）。ここでは、部品取り出し工程が完了した時点で基板搬送機構２に位置決めされた基板３において、対向する搭載ヘッドによる部品搭載動作が行われていない場合には第２方向走査動作を選択し、また部品取り出し工程が完了した時点で基板３において部品搭載動作が行われている場合には、第１方向走査動作を選択するように、予め走査動作選択条件が設定されている。
【００４１】
すなわち、図９（ａ）に示す状態においては、第２の部品供給部４Ｂにて第２の搭載ヘッド１４Ｂによる部品取り出し工程が完了した時点において、第１の部品供給部４Ａではまだ部品取り出し工程が完了しておらず、基板３上には対向する第１の搭載ヘッド１４Ａが存在しない。したがってこの場合に部品取り出し工程を完了した第２の搭載ヘッド１４Ｂが行うべき走査動作として、第２方向走査動作が選択される。これにより、第２の搭載ヘッド１４Ｂは第２の部品供給部４Ｂから基板３に向かって最短経路で移動することができ、部品搭載動作における移動距離を最短にして動作タクトタイムを短縮することができる。
【００４２】
次に走査動作を実行する（ＳＴ３）。ここでは選択された第２方向走査動作を第２の搭載ヘッド１４Ｂに行わせる（走査工程）。すなわち図９（ｂ）に示すように、走査動作の対象となる電子部品を保持した第２の搭載ヘッド１４Ｂは、Ｙ方向へ移動して基板３上へ到達する（矢印ｇ）。このＹ方向への移動に際しては、第２の搭載ヘッド１４Ｂが第２の画像読取り装置６Ｂの上方を規定の走査速度で移動し、このときＸ列ラインセンサ２４Ｘによって撮像対象の電子部品の複数の１次元画像が所定のインターバルで順次読み取られる。次いで第２の画像読取り装置６Ｂから画像信号を取得する（画像取得工程）。すなわち、画像を読み取った第２の画像読取り装置６Ｂの撮像制御部２６Ｂは、上述の走査動作で得られた複数の１次元画像を並列させて作成した２次元画像を、撮像対象の電子部品の画像信号として認識処理部３３に対して出力する。
【００４３】
この後、第１の搭載ヘッド１４Ａを対象とした走査動作が実行される。この場合には、第１の搭載ヘッド１４Ａによる部品取り出し工程が完了した時点で、対向する第２の搭載ヘッド１４Ｂは既に基板３上に存在するため、第１方向走査動作が選択されている。そして第２の搭載ヘッド１４Ｂを対象とした第２方向走査動作と並行して、第１の部品供給部４Ａにおいて部品取り出し工程を完了した第１の搭載ヘッド１４Ａは、図９（ｂ）に示すように、選択された第１方向走査動作を実行するために第１の画像読取り装置６Ａの側方へ移動する（矢印ｆ）。
【００４４】
そして図９（ｃ）に示すように、第２の搭載ヘッド１４Ｂによる基板３上での部品搭載動作（矢印ｈ）と平行して、第１の搭載ヘッド１４Ａを第１の画像読取り装置６Ａの上方
を規定の走査速度でＸ方向に移動させる第１方向走査動作（矢印ｉ）が実行される。第１方向走査動作を完了した後には、第１の搭載ヘッド１４Ａは第１の画像読取り装置６Ａの側方において待機する。このような第１方向走査動作は、対向する第２の搭載ヘッド１４Ｂの部品搭載動作と干渉することなく実行することが可能であることから、第１の搭載ヘッド１４Ａが第１の部品供給部４Ａにて移動しないまま待機するロス時間の発生を防止することができる。
【００４５】
この後、図１０（ａ）に示すように、基板３上での部品搭載動作を終えた第２の搭載ヘッド１４Ｂは次の部品取り出し工程実行のために第２の部品供給部４Ｂへ移動する（矢印ｊ）。そしてこの後、図１０（ｂ）に示すように、待機状態にあった第１の搭載ヘッド１４Ａが直ちに基板３の上方へ移動し（矢印ｋ）、第２の部品供給部４Ｂにおいては、第２の搭載ヘッド１４Ｂが部品取り出しのために移動する（矢印ｌ）。この後、第２の搭載ヘッド１４Ｂは部品取り出し工程を完了するが、この時点において、図１０（ｃ）に示すように、基板３上に第１の搭載ヘッド１４Ａが存在して部品搭載動作（矢印ｍ）を実行している場合には、第２の搭載ヘッド１４Ｂが行うべき走査動作として、第１方向走査動作が選択される。そして第２の搭載ヘッド１４Ｂは、第２の画像読取り装置６Ｂの上方をＸ方向へ移動する第１方向走査動作を実行するため、第２の画像読取り装置６Ｂの側方へ移動する（矢印ｎ）。
【００４６】
そしてこれ以降、第１の搭載ヘッド１４Ａ、第２の搭載ヘッド１４Ｂによって部品搭載動作が反復して実行される。この部品搭載動作においては、第１の部品供給部４Ａ、第２の部品供給部４Ｂから電子部品を取り出し、第１の画像読取り装置６Ａ、第２の画像読取り装置６Ｂの上方を移動して電子部品の画像を読み取る走査動作が実行される。この走査動作に際しては、その都度第１方向走査動作、第２方向走査動作のいずれかを、基板搬送機構２を挟んで対向する部品搭載機構の動作状態に応じて選択する。
【００４７】
すなわち、上述の画像読取り方法は、第１の搭載ヘッド１４Ａ、第２の搭載ヘッド１４Ｂがそれぞれの部品供給部から電子部品を取り出す部品取り出し工程と、当該電子部品の画像を読み取るために第１の搭載ヘッド１４Ａ、第２の搭載ヘッド１４Ｂに、第１方向走査動作、第２方向走査動作のいずれを行わせるかを、予め設定された走査動作選択条件に基づいて選択する走査動作選択工程と、選択された走査動作を第１の搭載ヘッド１４Ａ、第２の搭載ヘッド１４Ｂに行わせる走査工程と、第１の画像読取り部６Ａ、第２の画像読取り部６Ｂから画像信号を取得する画像取得工程とを含む形態となっている。
【００４８】
そして走査動作選択工程においては、部品取り出し工程が完了した時点で基板搬送機構２に位置決めされた基板３において対向する搭載ヘッドによる部品搭載動作が行われていない場合には第２方向走査動作を選択し、部品取り出し工程が完了した時点で部品搭載動作が行われている場合には第１方向走査動作を選択するようにしている。
【００４９】
上記説明したように、本実施の形態に示す電子部品実装装置１は、基板搬送機構２を挟んだ両側にそれぞれ第１の部品供給部４Ａ、第２の部品供給部４Ｂおよび第１の搭載ヘッド１４Ａ、第２の搭載ヘッド１４Ｂによって電子部品を搭載する部品搭載機構が配置された構成の電子部品実装装置において、第１の搭載ヘッド１４Ａ、第２の搭載ヘッド１４Ｂに保持された電子部品の画像を下方からそれぞれ読み取る第１の画像読取り部６Ａ、第２の画像読取り部６Ｂの構成を、当該画像読取り部の搭載ヘッドを基板搬送方向である第１方向、第１方向と直交する第２方向へそれぞれ移動させて画像の読み取りを行う第１方向走査動作、第２方向走査動作のいずれによっても画像の読み取りが可能なカメラを有する構成としたものである。
【００５０】
これにより、第１の搭載ヘッド１４Ａ、第２の搭載ヘッド１４Ｂが対応する第１の部品
供給部４Ａ、第２の部品供給部４Ｂから取り出した電子部品を基板３に移送搭載する部品搭載動作において、当該電子部品の画像を読み取るために第１方向走査動作、第２方向走査動作のいずれかタクトタイムロスのない方を、対向する部品搭載機構の動作状態に応じて選択することができる。これにより、タクトタイムロスを極力排して画像読取りのための所要時間の短縮を可能とし、部品搭載動作のタクトタイムを改善することができる。
【００５１】
なお上記実施の形態においては、基板搬送機構を挟んだ両側に部品搭載機構が設けられた電子部品実装装置において、図３に示す第１の画像読取り部６Ａ（第２の画像読取り部６Ｂ）を用いる例を示しているが、画像読み取り部として第１方向走査動作、第２方向走査動作のいずれによっても画像の読み取りが可能なカメラを有する構成を用いることの効果は、基板搬送機構を挟んだ両側に部品搭載機構が設けられた構成の電子部品実装装置に限定されるものではない。
【００５２】
すなわち、基板搬送機構の片側のみに部品搭載機構が配設された構成の電子部品実装装置においても、部品取り出し後の画像読み取り動作において第１方向走査動作、第２方向走査動作の選択を可能とすることにより、部品供給部から基板の実装点に到るまでの搭載ヘッドの移動経路が短い方を選択することが可能となり、同様に部品搭載動作のタクトタイムを改善することができる。この場合には、部品供給部において部品取り出し工程を完了した時点における搭載ヘッドの位置から当該部品搭載動作での基板の実装点に到る移動経路が短くなる方の走査動作が選択されるように、走査動作選択条件が設定される。ただし、このタクトタイムの改善効果は、本実施の形態に示すように、基板搬送機構の両側に部品搭載機構が配設された構成の電子部品実装装置においてより顕著となる。
【産業上の利用可能性】
【００５３】
本発明の電子部品実装装置および電子部品実装装置における画像読取り方法は、画像読取りのための所要時間の短縮を可能とし、部品搭載動作のタクトタイムを改善することができるという効果を有し、部品供給部から取り出した電子部品の画像を読み取って位置認識した後に基板に実装する作業を行う部品実装分野において有用である。
【図面の簡単な説明】
【００５４】
【図１】本発明の一実施の形態の電子部品実装装置の斜視図
【図２】本発明の一実施の形態の電子部品実装装置の平面図
【図３】本発明の一実施の形態の電子部品実装装置に用いられる画像読取り装置の構成を示す分解斜視図
【図４】本発明の一実施の形態の電子部品実装装置に用いられる画像読取り装置の断面図
【図５】本発明の一実施の形態の電子部品実装装置に用いられる画像読取り装置の画像取り込み範囲の説明図
【図６】本発明の一実施の形態の電子部品実装装置に用いられる画像読取り装置の平面図
【図７】本発明の一実施の形態の電子部品実装装置の制御系の構成を示すブロック図
【図８】本発明の一実施の形態の電子部品実装装置における画像読取り方法を示すフロー図
【図９】本発明の一実施の形態の電子部品実装装置における画像読取り方法の動作説明図
【図１０】本発明の一実施の形態の電子部品実装装置における画像読取り方法の動作説明図
【符号の説明】
【００５５】
１  電子部品実装装置
２  基板搬送機構
３  基板
４Ａ  第１の部品供給部
４Ｂ  第２の部品供給部
６Ａ  第１の画像読取り装置
６Ｂ  第２の画像読取り装置
７Ａ  第１のヘッド移動機構
７Ｂ  第２のヘッド移動機構
１４Ａ  第１の搭載ヘッド
１４Ｂ  第２の搭載ヘッド
２０  ラインセンサユニット
２４Ｘ  Ｘ列ラインセンサ
２４Ｙ  Ｙ列ラインセンサ
【図１】
2010080696.tif 000003
【図２】
2010080696.tif 000004
【図３】
2010080696.tif 000005
【図４】
2010080696.tif 000006
【図５】
2010080696.tif 000007
【図６】
2010080696.tif 000008
【図７】
2010080696.tif 000009
【図８】
2010080696.tif 000010
【図９】
2010080696.tif 000011
【図１０】
2010080696.tif 000012